(57)【要約】【課題】本発明は、住戸内に設置される各住設機器を遠隔から電子メールを用いて制御する設備アダプタ及び設備コントローラに関する。【解決手段】本発明に係るＬモード設備アダプタ１３では、通信網から受信した受信データが電子メールであるか否かを判断するデータ分岐部３１と、所定の通信規約に従ってデータを送受信するインターフェース部３４と、データ分岐部３１で電子メールと判断された場合に、更に、この電子メールが住設機器を制御するためのテキスト文が本文に記載された制御用電子メールであるか否かを判断すると共に、制御用電子メールと判断された場合にこの制御用電子メールをインターフェース部３４に出力する電子メール判断部３２とを備えて構成される。【選択図】　図２
2004096305.tif 000002
【特許請求の範囲】
【請求項１】
通信網から受信した受信データが電子メールであるか否かを判断するデータ分岐部と、
所定の通信規約に従ってデータを送受信するインターフェース部と、
前記データ分岐部で電子メールと判断された場合に、更に、該電子メールが住設機器を制御するためのテキスト文が本文に記載された制御用電子メールであるか否かを判断すると共に、制御用電子メールと判断された場合に該制御用電子メールを前記インターフェース部に出力する電子メール判断部と
を備えることを特徴とする設備アダプタ。
【請求項２】
請求項１に記載の設備アダプタと前記所定の通信規約に従ってデータを送受信するインターフェース部と、
住設機器から受信した機器状態に基づいて電子メールの作成の要否を判断する判断処理部と、
前記判断処理部で電子メールの作成が必要と判断された場合に、前記機器状態に基づいて電子メールを作成して前記インターフェース部に出力する電子メール作成部と
を備えることを特徴とする設備コントローラ。
【請求項３】
前記判断処理部で電子メールの作成が必要ではないと判断された場合に、更に、前記機器状態に基づいて前記機器状態を送信した住設機器を除く他の住設機器を制御する連動処理部を更に備えること
を特徴とする請求項２に記載の設備コントローラ。
【請求項４】
計時するタイマー部を更に備え、
前記判断処理部は、前記タイマー部を用いて所定の時間が経過した後に、前記機器状態に基づいて住設機器を制御すること
を特徴とする請求項２又は請求項３に記載の設備コントローラ。
【請求項５】
機器状態と通信文との対応関係を示すメッセージテーブル、及び、機器状態を送信した住設機器と機器状態と電子メールアドレスとの対応関係を示す電子メールアドレステーブルとを記憶する記憶部を更に備え、
前記電子メール作成部は、前記機器状態を受信した住設機器と前記機器状態とに基づいて前記メッセージテーブルと前記電子メールアドレステーブルとを参照して電子メールを作成すること
を特徴とする請求項２乃至請求項４の何れか１項に記載の設備コントローラ。
【請求項６】
通信網から受信した受信データが電子メールであるか否かを判断するデータ分岐部と、
前記データ分岐部で電子メールと判断された場合に、更に、該電子メールが住設機器を制御するためのテキスト文が本文に記載された制御用電子メールであるか否かを判断する電子メール判断部と、
前記電子メール判断部で制御用電子メールと判断された場合に、前記テキスト文を制御コードに変換する変換部と、
前記制御コードに基づいて住設機器を制御する制御部と
を備えることを特徴とする設備アダプタ。
【請求項７】
前記電子メール判断部で制御用電子メールではないと判断された場合に、電子メールを表示可能に処理する電子メール処理部と、
前記電子メール処理部で処理された電子メールを表示する表示部とを更に備えること
を特徴とする請求項１又は請求項６に記載の設備アダプタ。
【発明の詳細な説明】
【０００１】
【発明の属する技術分野】
本発明は、住戸内に設置される各住設機器を遠隔から電子メールを用いて制御する設備アダプタ及び設備コントローラに関する。
【０００２】
【従来の技術】
従来、住戸内に設置される各住設機器を遠隔から制御する設備制御装置は、Ｗｅｂ技術を用いたシステムが知られている。
【０００３】
図８は、従来の遠隔設備制御システムの構成を示す図である。図８において、遠隔設備制御システム２００は、住戸内に設置される１又は複数の住設機器１１１（１１１−Ａ、１１１−Ｂ、・・・、１１１−Ｘ）と、住設機器１１１を制御すると共にネットワークに応じたプロトコルにデータを変換して該データをやり取りするネットワークインターフェース１１２と、ネットワークインターフェース１１２から送信されたデータを宛先に応じてルーティングするルータ１１３と、ネットワークインターフェース１１２にインタネット接続サービスを提供するインターネット・サービス・プロバイダ（ＩＳＰ）１１４と、ブラウザ機能を備えた携帯端末１２０と、ＩＳＰ１１４と携帯端末１２０との間でデータ通信を提供するインターネット１１６とを備えて構成されていた。
【０００４】
このような従来の遠隔設備制御システム２００では、住設機器１１１からの機器状態をネットワークインターフェース１１２がＨＴＭＬ（Ｈｙｐｅｒ　Ｔｅｘｔ　Ｍａｒｋｕｐ　Ｌａｎｇｕａｇｅ）形式で集中管理する。携帯端末１２０が住設機器１１１の機器状態を表示する場合には、ネットワークインターフェース１１２のＵＲＬ（Ｕｎｉｆｏｒｍ　Ｒｅｓｏｕｒｃｅ　Ｌｏｃａｔｏｒ）を指定し、ネットワークインターフェース１１２が集中管理している情報をＴＣＰ（Ｔｒａｎｓｍｉｓｓｉｏｎ　Ｃｏｎｔｒｏｌ　Ｐｒｏｔｏｃｏｌ）／ＩＰ（Ｉｎｔｅｒｎｅｔ　Ｐｒｏｔｏｃｏｌ）やＨＴＴＰ（Ｈｙｐｅｒ　Ｔｅｘｔ　Ｔｒａｎｓｆｅｒ　Ｐｒｏｔｏｃｏｌ）などのプロトコルを用いて送信していた。また、住設機器１１１の機器状態を変更したい場合には、即ち、住設機器１１１を遠隔制御したい場合には、携帯端末１２０が制御データをＴＣＰ／ＩＰやＨＴＴＰなどのプロトコルを用いてネットワークインターフェース１１２に送信し、ネットワークインターフェース１１２の制御用のページを書き換え、この制御用のページの情報に基づいてネットワークインターフェース１１２が住設機器１１１に制御信号を送信することによって住設機器を制御していた。
【０００５】
また、インターネットを利用した遠隔設備制御システムの先行技術としては、例えば、特開２００２−９７８４３号公報がある。この公報には、一定時間毎に雨量や湿度等の気象状況を検出する気象センサの検出出力をインターネット利用して共用情報盤に送信し、共用情報盤がこの検出出力に基づいてローカルネットワークに接続される住設機器を制御する技術が開示されている。
【０００６】
【発明が解決しようとする課題】
ところで、従来の遠隔設備制御システムでは、インターネットの接続にＩＳＰを利用するので、ＩＳＰとの契約費用、ネットワークインターフェースとＩＳＰとを繋ぐルータの設備費用及びネットワークインターフェースの設備費用等の種々の大きな費用が掛かっていた。特に、ネットワークインターフェースは、送受信データをＴＣＰ／ＩＰやＨＴＴＰなどのプロトコルに従って変換しなければならないため、そのためのハードウェアやソフトウェアを搭載する必要があり、高価になりがちであった。また、ネットワークインターフェースとＩＳＰの間では、ＡＤＳＬ、ＩＳＤＮ及びＣＡＴＶ等の様々な方式があり、これに対応する必要があった。そして、これに対応したとすれば設置工事の際に調整が必要となる一方信頼性が低下してしまう。さらに、従来の遠隔設備制御システムでは、常時接続することも可能であるが、通常より多くの費用がかかり、一方、遠隔制御の都度ダイヤルアップをする場合では操作性が常時接続よりも劣ってしまう。
【０００７】
そこで、ＴＣＰ／ＩＰなどのプロトコルに従ってインタネット用にデータを変換し、ルータやＩＳＰの機能を備えたＬモード（東日本電信電話株式会社及び西日本電信電話株式会社の商標登録出願商標）を使用することが考えられる。この場合には、ネットワークインターフェースは、Ｌモード用のプロトコルにのみ対応すればよく、ハードウェアやソフトウェアを簡略することができ得る。また、一つの事業者が住戸とインターネットとの間を接続するため、信頼性に優れ、さらに、従来の方式に較べて低価格で常時接続が可能である。
【０００８】
ところが、Ｌモードを利用しようとすると、受信したデータが通話のＰＢ（プッシュボタン）音なのか否かを弁別する必要が生じる。通話のＰＢ音でない場合でも更に制御用のデータであるか否かを弁別する必要が生じる。また、受信したデータを制御用のデータに変換する必要も生じる。
【０００９】
そこで、本発明では、上記事情に鑑みて為された発明であり、電子メールを用いた設備制御装置を提供することを目的とする。
【００１０】
【課題を解決するための手段】
上述の目的を達成するために、請求項１に記載の設備アダプタでは、通信網から受信した受信データが電子メールであるか否かを判断するデータ分岐部と、所定の通信規約に従ってデータを送受信するインターフェース部と、前記データ分岐部で電子メールと判断された場合に、更に、該電子メールが住設機器を制御するためのテキスト文が本文に記載された制御用電子メールであるか否かを判断すると共に、制御用電子メールと判断された場合に該制御用電子メールを前記インターフェース部に出力する電子メール判断部とを備えて構成される。
【００１１】
このような構成の設備アダプタは、データ分岐部を有するので、電子メールを受信した場合に確実に電子メールを設備アダプタに取得することができる。そのため、設備アダプタに電話機が接続された場合に、電子メールを受信した場合にこの電話機の呼出音を鳴らすことがない。そして、電子メール判断部を有するので、私信等の一般電子メールと制御用の電子メールとを弁別することができる。
【００１２】
そして、請求項２に記載の設備コントローラでは、請求項１に記載の設備アダプタと前記所定の通信規約に従ってデータを送受信するインターフェース部と、住設機器から受信した機器状態に基づいて電子メールの作成の要否を判断する判断処理部と、前記判断処理部で電子メールの作成が必要と判断された場合に、前記機器状態に基づいて電子メールを作成して前記インターフェース部に出力する電子メール作成部とを備えて構成される。
【００１３】
このような構成の設備コントローラは、電子メール作成部を有するので、機器状態を報知するための電子メールを作成することができる。そして、インターフェース部を備えるので設備アダプタと通信可能に接続することができ、作成した電子メールを設備アダプタを介して、通信網を介して設備アダプタと通信可能な電子メール受信端末に送信することができる。
【００１４】
また、請求項３に記載の設備コントローラでは、前記判断処理部で電子メールの作成が必要ではないと判断された場合に、更に、前記機器状態に基づいて前記機器状態を送信した住設機器を除く他の住設機器を制御する連動処理部を更に備える。
【００１５】
このような構成の設備コントローラは、連動処理部を備えるので、一の住設機器の機器状態に応じて他の住設機器の機器状態を制御することができる。そのため、より快適な住環境を提供することができる。
【００１６】
さらに、請求項４に記載の設備コントローラでは、計時するタイマー部を更に備え、前記判断処理部は、前記タイマー部を用いて所定の時間が経過した後に、前記機器状態に基づいて住設機器を制御する。
【００１７】
このような構成の設備コントローラは、タイマー部を有するので、一定時間経過後に住設機器の機器状態を制御することができる。
【００１８】
また、請求項５に記載の設備コントローラは、請求項２乃至請求項４の何れか１項に記載の設備コントローラにおいて、機器状態と通信文との対応関係を示すメッセージテーブル、及び、機器状態を送信した住設機器と機器状態と電子メールアドレスとの対応関係を示す電子メールアドレステーブルとを記憶する記憶部を更に備え、前記電子メール作成部は、前記機器状態を受信した住設機器と前記機器状態とに基づいて前記メッセージテーブルと前記電子メールアドレステーブルとを参照して電子メールを作成する。
【００１９】
このような構成の設備コントローラは、メッセージテーブルを有するので、機器状態に的確に対応した様々な通信文を報知することができる。そして、電子メールアドレステーブルを有するので、機器状態に的確に対応した個所に通信文を報知することができる。
【００２０】
さらに、請求項６に記載の設備アダプタでは、通信網から受信した受信データが電子メールであるか否かを判断するデータ分岐部と、前記データ分岐部で電子メールと判断された場合に、更に、該電子メールが住設機器を制御するためのテキスト文が本文に記載された制御用電子メールであるか否かを判断する電子メール判断部と、前記電子メール判断部で制御用電子メールと判断された場合に、前記テキスト文を制御コードに変換する変換部と、前記制御コードに基づいて住設機器を制御する制御部とを備えて構成される。
【００２１】
このような構成の設備アダプタは、請求項１に記載の設備アダプタの作用を有するだけでなく、変換部を有するので、電子メールのテキストデータを制御用のコードデータに変換することができる。そして、制御部を有するので、制御コードに応じて住設機器を制御することができる。
【００２２】
また、請求項７に記載の設備アダプタは、請求項１又は請求項６に記載の設備アダプタにおいて、前記電子メール判断部で制御用電子メールではないと判断された場合に、電子メールを表示可能に処理する電子メール処理部と、前記電子メール処理部で処理された電子メールを表示する表示部とを更に備える。
【００２３】
このような構成の設備アダプタは、電子メール処理部と表示部とを有するので、制御用電子メールではない場合でも表示処理することができる。
【００２４】
【発明の実施の形態】
以下、本発明に係る実施形態を図面に基づいて説明する。なお、各図において同一の構成については、同一の符号を付し、その説明を省略する。
（実施形態の構成）
図１は、電子メール使用設備制御システムの構成を示す図である。図２は、Ｌモード設備アダプタの構成及びＬモード設備コントローラの構成を示す図である。
【００２５】
図１において、電子メール使用設備制御システム１００は、通信回線で接続された１又は複数の住設機器１１（１１−Ａ、１１−Ｂ、・・・、１１−Ｘ）と、この通信回線を介して住設機器１１を制御するＬモード設備コントローラ１４と、一般電話機１２及びＬモード設備コントローラ１４とＬモードゲートウェイ１５との間のインターフェースであるＬモード設備アダプタ１３と、Ｌモードゲートウェイ１５と、インターネット１６と、電子メールを送受信する電子メール送受信端末（ｅ−メール送受信端末）１８とを備えて構成される。
【００２６】
住設機器１１は、住戸１０に設置される電気・電子機器であり、例えば、住戸１０内の環境を検出する、温度センサ、煙センサ、ガスセンサ及び明暗センサなどのセンサ機器や、住戸１０内の環境を調整する、照明器具、エアコンディショナー（エアコン）及び加湿器などの家庭電化製品や、防犯装置や、血圧、体温、心拍等を監視する健康管理装置などである。住設機器１１とＬモード設備コントローラ１４とを接続する通信回線は、例えば、イーサネット（Ｅｔｈｅｒｎｅｔ、登録商標）であり、これらはローカルエリアネットワークを形成する。
【００２７】
電子メール送受信端末１８は、電子メールを送受信することができる端末装置であり、例えば、Ｌモード電話機１８−１、電子メールソフト（メーラー）を搭載したパーソナルコンピュータ（ＰＣ）１８−２、及び、電子メールソフトを搭載した携帯電話やＰＤＡなどのメール携帯端末１８−３である。電子メール送受信端末１８は、住戸１０の住人が携帯したり、住戸１０内の住設機器１１における機器状態を集中管理する管理センターやガス会社等のエネルギー供給元事業者などに配置される。電子メール送信プロトコルには、例えば、ＳＭＴＰ（Ｓｉｍｐｌｅ　Ｍａｉｌ　Ｔｒａｎｓｆｅｒ　Ｐｒｏｔｏｃｏｌ）が使用され、電子メール受信プロトコルには、例えば、ＰＯＰ３（Ｐｏｓｔ　Ｏｆｆｉｃｅ　Ｐｒｏｔｏｃｏｌ　ｖｅｒｓｉｏｎ　３）が使用される。
【００２８】
図２において、Ｌモード設備アダプタ１３は、データの種別に応じてＬモードゲートウェイ１５の接続先を決定するデータ分岐部３１と、データ分岐部３１から転送された電子メールの種別を判断する電子メール判断部３２と、Ｌモード設備アダプタ１３とＬモード設備コントローラ１４との間で所定のプロトコル（通信規約）に従ってデータの送受信を可能とするインターフェース部３４と、Ｌモードのプロトコルに従って電子メールを送信する電子メール送信部３５とを備えて構成される。
【００２９】
また、Ｌモード設備コントローラ１４は、Ｌモード設備アダプタ１３とＬモード設備コントローラ１４との間で所定のプロトコルに従ってデータの送受信を可能とするインターフェース部４１と、インターフェース部４１から出力された電子メールのテキストデータを制御データに変換するフォーマット変換部４８と、フォーマット変換部４８からの制御データの内容や各住設機器からの出力データの内容を判断する判断処理部４２と、Ｌモード設備コントローラ１４と各住設機器１１との間で所定のプロトコルに従ってデータの送受信を可能とするインターフェース部４３と、判断処理部４２からのデータのフォーマットを変換するフォーマット逆変換部４９と、フォーマット逆変換部４９の出力に応じてメモリ４５内に格納されている電子メールアドレステーブル４５−１及びメッセージテーブル４５−２を検索して電子メールを作成する電子メール作成部４４と、判断処理部４２の出力に応じて１又は複数の各住設機器１１を連動して動作させる連動処理部４６と、判断処理部４２の出力に応じて計時を行うタイマー４７とを備えて構成される。即ち、Ｌモード設備コントローラ１４は、Ｌモード設備アダプタ１３からの制御用電子メール又は各住設機器１１からの検出データに基づいて各住設機器１１を制御する機能と、各住設機器１１からの検出データに基づいて検出データを電子メール送受信端末１８に報知するためのデータを作成する機能とを有する。
【００３０】
インターフェース部３４、４１の所定のプロトコルは、例えば、ＲＳ２３２Ｃ規格に基づくプロトコルやＵＳＢ規格に基づくプロトコルである。また、インターフェース部４３の所定のプロトコルは、例えば、イーサネットのプロトコルである。
（実施形態の動作）
次に、電子メール使用設備制御システム１００の動作を説明する。図３は、Ｌモードゲートウェイからデータを受信した場合におけるＬモード設備アダプタの動作を示すフローチャートである。図４は、住設機器からデータを受信した場合におけるＬモード設備コントローラ１４の動作を示すフローチャートである。
【００３１】
住戸１０の住人は、住戸１０内の住設機器１１を遠隔操作しようとする場合に所定のフォーマットに従った住設機器制御用の電子メールを電子メール送受信端末１８に入力し、住戸１０におけるＬモード設備アダプタ１３へその電子メールアドレスを指定して送信する。送信された住設機器制御用の電子メールは、インターネット１６及びＬモードゲートウェイ１５を介してＬモード設備アダプタ１３に到達する。
【００３２】
図３において、Ｌモード設備アダプタ１３は、Ｌモードゲートウェイ１５からデータを受信すると（Ｓ１１）、データ分岐部３１にデータの種別を判断させる（Ｓ１２）。データ分岐部３１は、受信データがＰＢ音である場合（Ｎｏ）には通話の音声データであると判断し、Ｌモードゲートウェイ１５と一般電話機１２との間を接続する。一方、データ分岐部３１は、受信データが電子メールである場合（Ｙｅｓ）には受信データを電子メール判断部３２に転送する。
【００３３】
電子メール判断部３２は、転送された電子メールの所定のデータを参照することにより、電子メールが住設機器１１を制御するための住設機器制御用の電子メールか否かを判断する（Ｓ１３）。この電子メールの種別の判断は、例えば、電子メール送受信端末１８が電子メールを送信する際に、所定の位置、例えば、ヘッダ内やボディの先頭などに電子メールの種別を示すフラグを立て、電子メール判断部３２は、この所定の位置におけるフラグの内容を参照することによって行う。判断の結果、住設機器制御用の電子メールである場合（Ｙｅｓ）には、電子メール判断部３２は、インターフェース部３４に転送する。一方、判断の結果、私信などの住設機器制御用の電子メールではない場合（Ｎｏ）には、電子メール判断部３２は、電子メールを破棄する。
【００３４】
インターフェース部３４は、住設機器制御用の電子メールを所定のプロトコルに従って処理してＬモード設備コントローラ１４へ送信する（Ｓ１４）。
【００３５】
Ｌモード設備コントローラ１４は、インターフェース部４１を介して受信した住設機器制御用の電子メールのフォーマットをフォーマット変換部４８で制御用のデータのフォーマットに変換する。このフォーマット変換は、例えば、次のようである。
【００３６】
フォーマット変換部４８には、その内部メモリに、機器名称と機器アドレスとの対応関係を示す名称・アドレス変換テーブルと、機器状態と制御コードとの対応関係を示す状態・コード変換テーブルとを備える。
【００３７】
機器名称は、住設機器１１の名前であり、機器アドレスは、各住設機器１１にユニークに割り当てられた、各住設機器１１を識別するための識別子である。名称・アドレス変換テーブルは、Ｌモード設備アダプタ１３を設置する際や住設機器１１が増設された際などに設定・更新される。
【００３８】
また、機器状態は、住設機器１１が備える各機能の状況であり、例えば、住設機器１１がエアコンである場合には、機器状態として電源のオン・オフ、風量、温度、湿度などであり、住設機器１１がガスセンサである場合には、機器状態として電源のオン・オフ、ガス検出の有無などであり、住設機器１１が電気錠である場合には、機器状態として電源のオン・オフ、施錠の有無などである。制御コードは、各機器状態にユニークに割り当てられた、状態を識別するための識別子である。状態・コード変換テーブルは、住設機器１１に対して固定的に規格化され、Ｌモード設備アダプタ１３に製造段階などで予め組み込まれる。
【００３９】
一方、住設機器制御用の電子メールにおける本文のフォーマットは、例えば、機器名称、スペース、機器状態、改行の順に記載するように規定される。そして、制御データのフォーマットは、例えば、制御機器数に続けて機器アドレスと機器状態との組が制御機器数分だけ続くように規定される。
【００４０】
これら各テーブル、電子メール及び制御データの一例を示す。図５は、各テーブル、電子メール及び制御データの一例を示す図であり、図５（ａ）は、名称・アドレス変換テーブルの一例を示し、図５（ｂ）は、状態・コード変換テーブルの一例を示し、図５（ｃ）は、電子メールの一例を示し、図５（ｄ）は、制御データの一例を示す。図５（ａ）に示す名称・アドレス変換テーブル６０において、機器名称６１の照明には機器アドレス６２に００が割り当てられ、機器名称６１のエアコンには機器アドレス６２に０１が割り当てられ、機器名称６１の電気錠には機器アドレス６２に０２が割り当てられ、機器名称６１の防犯センサには機器アドレス６２に０１が割り当てられ、・・・、機器名称６１のガスセンサには機器アドレス６２に０Ｆが割り当てられる。図５（ｂ）に示す状態・コード変換テーブル６３において、機器状態６４のオン（ＯＮ）には制御コード６５に００が割り当てられ、機器状態６４のオフ（ＯＦＦ）には制御コード６５に０１が割り当てられ、機器状態６４の施錠には制御コード６５に０２が割り当てられ、機器状態６４の開錠には制御コード６５に０３が割り当てられ、・・・、機器状態６４の正常には制御コード６５に０９が割り当てられ、機器状態６４の発報には制御コード６５に０Ａが割り当てられる。なお、機器アドレスも制御コードも図５では、１６進数で表示している。
【００４１】
図５（ｃ）に示す住設機器制御用の電子メールは、その本文に、
照明　ＯＮ
エアコン　ＯＮ
と記載され、フォーマット変換部３３で変換されると、図５（ｃ）に相互に対応する制御データは、図５（ｄ）に示すように０２０００００１００となる。
【００４２】
図５（ａ）、（ｂ）の名称・アドレス変換テーブル６０及び状態・コード変換テーブル６３の下において、図５（ｃ）に示す電子メールをフォーマット変換部４８に入力されると、フォーマット変換部４８は、図５（ｄ）に示す制御データに変換する。
【００４３】
フォーマット変換された制御データは、判断処理部４２で処理される。判断処理部４２は、制御データのその内容に従って住設機器１１を制御すべくインターフェース部４３を介して制御信号を住設機器１１に送信する。そして、住設機器１１は、受信した制御信号に基づいて当該住設機器１１の種別に応じた機能を制御したり、制御結果やセンサの検出結果などをＬモード設備コントローラ１４に送信したりする。
【００４４】
例えば、図５に示すフォーマットの場合には、判断処理部４２は、先頭の所定バイト数のデータから受信した制御データが何個分の住設機器１１の制御データであるかを判断し、続くデータから機器アドレス６２と制御コード６５とを判断する。即ち、図５（ｄ）に示す例では、判断処理部４２は、０２０００００１００を受信すると、最初の２バイトのデータから受信した制御データが２個分の住設機器１１のデータであると判断し、次の各２バイトのデータから機器アドレス６２と制御コード６５とを判断し、当該機器アドレス００の住設機器１１へ制御コード００を制御信号として送信する。さらに、判断処理部４２は、次の各２バイトのデータから機器アドレス６２と制御コード６５とを判断し、当該機器アドレス０１の住設機器１１へ制御コード００を制御信号として送信する。
【００４５】
機器アドレス００の住設機器１１は、制御コード“００”を受信すると、住設機器１１に実装されている制御コードと機器状態との対応関係を示すテーブルを参照して、制御コード“００”に従った制御を行う。また、機器アドレス０１の住設機器１１は、制御コード“００”を受信すると、住設機器１１に実装されている制御コードと機器状態との対応関係を示すテーブルを参照して、制御コード“００”に従った制御を行う。
【００４６】
一方、住設機器１１が自己の機器状態をインターフェース部４３を介して判断処理部４２に送信すると、図４において、判断処理部４２は、このデータを受信し（Ｓ２１）、データの内容から電子メールの作成が必要か否かを判断する（Ｓ２２）。この電子メール作成の要否は、例えば、住設機器１１がデータを送信する際に、所定の位置に電子メール作成の要否を示すフラグを立て、判断処理部４２は、この所定の位置におけるデータの内容を参照することによって行う。
【００４７】
判断の結果、電子メールの作成が必要な場合には、受信データをフォーマット逆変換部４９に転送し、電子メールの作成が必要ではない場合には、受信データを連動処理部４６に転送する。
【００４８】
フォーマット逆変換部４９は、受信データのフォーマットを電子メール作成部４４のフォーマットに変換し、受信データを電子メール作成部４４に転送する（Ｓ２３）。電子メール作成部４４は、受信データの内容に基づいてメッセージテーブル４５−２を参照し、メッセージの内容を選択する。電子メール作成部４４は、受信データの内容に基づいて電子メールアドレステーブル４４−１を参照し、メールアドレスを選択する。そして、電子メール作成部４４は、送信先に選択したメールアドレスを設定すると共に本文に選択したメッセージ内容を組み込んだ電子メールを作成する（Ｓ２４）。
【００４９】
ここで、メモリ４５に格納される電子メールアドレステーブル４５−１とメッセージテーブル４５−２とについて説明する。
【００５０】
電子メールアドレステーブル４５−１は、報知内容と電子メールアドレスとの対応関係を示すテーブルである。電子メールアドレステーブル４５−１は、例えば、機器状態を送信した住設機器１１と送信先電子メールアドレスとの対応関係を示すテーブルとして作成され、送信元の住設機器１１がガスセンサである場合にはガス会社の電子メールアドレスと住戸１０の住人の電子メールアドレスとが登録され、送信元の住設機器１１が防犯装置である場合には警察や警備会社等の電子メールアドレスと住戸１０の住人の電子メールアドレスとが登録される。報知内容に応じた関係者に漏れなく送信する観点から、送信先電子メールアドレスは、このように複数でもよい。
【００５１】
メッセージテーブル４５−２は、機器状態とメッセージとの対応関係を示すテーブルである。メッセージテーブル４５−２は、例えば、送信元の住設機器１１と機器状態とメッセージとの対応関係を示すテーブルとして作成され、送信元の住設機器１１がガスセンサであってガスを検出した場合には、「ガスを検知しました」のメッセージが登録され、送信元の住設機器１１が防犯装置であって人を検出した場合には、「住戸に誰かが侵入しました」のメッセージが登録される。
【００５２】
そして、電子メール作成部４４は、作成した電子メールをインターフェース４１及びインターフェース部３４を介して、Ｌモード設備アダプタ１３に送信する（Ｓ２５）。
【００５３】
Ｌモード設備アダプタ１３は、この電子メールのデータを受信すると、電子メール送信部３５を用いて、Ｌモードのプロトコルに従ったデータに変換して、データ分岐部３１を介してＬモードゲートウェイ１５に送出する。Ｌモードゲートウェイ１５は、この電子メールのデータを受信すると、インターネット１６に電子メールを送信することができるようにインターネット１６用のプロトコル、例えば、ＴＣＰ／ＩＰ及びＳＭＴＰ等に従ってデータを変換して、インターネット１６に送出する。送出された電子メールは、その電子メールアドレスを持つ電子メール送受信端末１８に受信される。電子メール送受信端末１８を扱う者は、電子メールを閲覧することによって、遠隔から住戸１０の状況を略リアルタイムで知ることが可能である。
【００５４】
一方、Ｓ２６において、連動処理部４６は、受信データが連動処理が必要か否かを判断する。判断の結果、連動処理部４６は、連動が必要な場合にはＳ２７の連動制御を行い、連動が必要ではない場合にはＳ２８の単独制御を行う。
【００５５】
連動制御は、例えば、連動処理部４６が温度センサから受信した温度データが第１閾値以上であって第１閾値より大きく第２閾値未満の場合には、換気扇を回し、第２閾値以上である場合にはエアコンを始動させる制御である。このように或る住設機器１１の状態に応じて他の住設機器１１の状態を変化させる制御が連動制御である。
【００５６】
単独制御は、例えば、連動処理部４６がエアコンから始動した旨の状態データを受信した場合にタイマー４７で計時を行って一定時間後にエアコンを停止させる制御である。このように或る住設機器１１の状態に応じて当該住設機器１１を次の状態に変化させる制御が単独制御である。
【００５７】
このような連動制御や単独制御をＬモード設備コントローラ１４が行うことにより、快適な住環境が実現される。
【００５８】
タイマー４７は、一定時間後に住設機器１１を始動させる始動タイマー、一定時間後に住設機器１１を停止させる停止タイマー、及び、或るレベルから他のレベルに変更する場合の切換タイマーなどとして働く。
【００５９】
以上のように本実施形態における電子メール使用設備制御システム１００は、電子メールを使用することにより、遠隔から住設機器１１を制御することができる。そして、電子メールを使用することにより、一度に複数の住設機器１１の制御を指示する電子メールを簡単に作成することができ、手軽に複数の住設機器１１を制御することができる。
【００６０】
また、本実施形態における電子メール使用設備制御システム１００は、電子メールを使用することにより、住設機器１１の状態を住戸１０の住人、住戸１０を集中管理する管理センター、或いは、ガス会社等のエネルギー供給元事業者などに電子メール送受信端末１８によって報知することができる。このため、住戸１０の状況を遠隔から略リアルタイムで知ることが可能である。特に、ガス漏れ発生、火災発生、不法侵入者有りなどの災害を迅速に知ることができ、早急にこれら災害に対応することができる。
【００６１】
さらに、Ｌモードを活用するので、安価、簡便にインターネット１６に常時接続が可能となり、しかも、Ｌモードゲートウェイ１５がデータをＴＣＰ／ＩＰなどのインターネット用のプロトコルに変換するので、Ｌモード設備アダプタやＬモード設備コントローラがこのようなプロトコル変換するハードウェアやソフトウェアを実装する必要がないので、これら機器を安価、簡易に製造することができる。
【００６２】
なお、本実施形態における電子メール使用設備制御システム１００は、一般電話機にＬモード設備アダプタ１３とＬモード設備コントローラ１４によって住戸１０内のシステムを構築したが、図２に破線で示すように、Ｌモード電話機２１にデータ分岐部３１、電子メール判断部３２、インターフェース部３４及び電子メール送信部３５を組み込んでもよい。
【００６３】
図６は、Ｌモード電話機を利用した電子メール使用設備制御システムの構成を示す図である。図６において、このような電子メール使用設備制御システム１００’は、１又は複数の住設機器１１（１１−Ａ、１１−Ｂ、・・・、１１−Ｘ）と、住設機器１１を制御するＬモード設備コントローラ１４と、Ｌモード設備コントローラ１４とＬモードゲートウェイ１５との間のインターフェース機能を兼ね備えたＬモード電話機２１と、Ｌモードゲートウェイ１５と、インターネット１６と、電子メールを送受信する電子メール送受信端末１８とを備えて構成される。
【００６４】
このようにＬモード電話機２１を利用する場合には、Ｌモード電話機にこれら各部を組み込むことによりＬモード設備アダプタ機能をより安価に実現することができる。そして、図２に破線で示すように、Ｌモード電話機２１のメーラーなどの電子メール処理部５１やＬＣＤや有機ＥＬなどの表示部５２を利用することができるので、図３のＳ１３で私信などの住設機器制御用の電子メールではない場合（Ｎｏ）に上述の実施形態のように電子メールを廃棄することなく、電子メールを表示することができる。
【００６５】
さらに、本実施形態におけるＬモード設備アダプタ１３とＬモード設備コントローラ１４の代わりに、図２に一点鎖線で示すように、両機能を併せ持ったアダプタ付きＬモード設備コントローラ２２によって電子メール使用設備制御システムを構築してもよい。
【００６６】
図７は、アダプタ付きＬモード設備コントローラを用いた電子メール使用設備制御システムの構成を示す図である。図７において、このような電子メール使用設備制御システム１００”は、１又は複数の住設機器１１（１１−Ａ、１１−Ｂ、・・・、１１−Ｘ）と、住設機器１１を制御すると共に、一般電話機１２及び住設機器１１とＬモードゲートウェイ１５との間のインターフェースであるアダプタ付きＬモード設備コントローラ２２と、Ｌモードゲートウェイ１５と、インターネット１６と、電子メールを送受信する電子メール送受信端末１８とを備えて構成される。
【００６７】
【発明の効果】
以上のように、請求項１に記載の設備アダプタは、データ分岐部を有するので、電子メールを受信した場合に確実に電子メールを設備アダプタに取得することができる。そのため、設備アダプタに電話機が接続された場合に、電子メールを受信した場合にこの電話機の呼出音を鳴らすことがない。そして、電子メール判断部を有するので、私信等の一般電子メールと制御用の電子メールとを弁別することができる。
【００６８】
そして、請求項２に記載の設備コントローラは、電子メール作成部を有するので、機器状態を報知するための電子メールを作成することができる。そして、インターフェース部を備えるので設備アダプタと通信可能に接続することができ、作成した電子メールを設備アダプタを介して、通信網を介して設備アダプタと通信可能な電子メール受信端末に送信することができる。
【００６９】
また、請求項３に記載の設備コントローラは、連動処理部を備えるので、一の住設機器の機器状態に応じて他の住設機器の機器状態を制御することができる。そのため、より快適な住環境を提供することができる。
【００７０】
さらに、請求項４に記載の設備コントローラは、タイマー部を有するので、一定時間経過後に住設機器の機器状態を制御することができる。
【００７１】
また、請求項５に記載の設備コントローラは、メッセージテーブルを有するので、機器状態に的確に対応した様々な通信文を報知することができる。そして、電子メールアドレステーブルを有するので、機器状態に的確に対応した個所に通信文を報知することができる。
【００７２】
さらに、請求項６に記載の設備アダプタは、請求項１に記載の設備アダプタの作用を有するだけでなく、変換部を有するので、電子メールのテキストデータを制御用のコードデータに変換することができる。さらに、制御部を有するので、制御コードに応じて住設機器を制御することができる。
【００７３】
また、請求項７に記載の設備アダプタは、電子メール処理部と表示部とを有するので、制御用電子メールではない場合でも表示処理することができる。
【００７４】
特に、設備アダプタの接続先にＬモードを利用することによって、安価、簡便にインターネットに常時接続が可能となり、しかも、ＬモードゲートウェイがデータをＴＣＰ／ＩＰなどのインターネット用のプロトコルに変換するので、設備アダプタや設備コントローラがこのようなプロトコル変換するハードウェアやソフトウェアを実装する必要がないので、これら機器を安価、簡易に製造することができる。そして、Ｌモードは、単一の事業者が提供するサービスなので、従来のように様々なインターネット接続機器を介すること無く、インターネットに接続可能となるので、設備アダプタや設備コントローラの信頼性がより向上する。
【図面の簡単な説明】
【図１】電子メール使用設備制御システムの構成を示す図である。
【図２】Ｌモード設備アダプタの構成及びＬモード設備コントローラの構成を示す図である。
【図３】Ｌモードゲートウェイからデータを受信した場合におけるＬモード設備アダプタの動作を示すフローチャートである。
【図４】住設機器からデータを受信した場合におけるＬモード設備コントローラ１４の動作を示すフローチャートである。
【図５】各テーブル、電子メール及び制御データの一例を示す図である。
【図６】Ｌモード電話機を利用した電子メール使用設備制御システムの構成を示す図である。
【図７】アダプタ付きＬモード設備コントローラを用いた電子メール使用設備制御システムの構成を示す図である。
【図８】従来のブラウザを用いた遠隔設備制御システムの構成を示す図である。
【符号の説明】
１１　住設機器
１３　Ｌモード設備アダプタ
１４　Ｌモード設備コントローラ
１５　Ｌモードゲートウェイ
１８　電子メール送受信端末
２１　Ｌモード電話機
２２　アダプタ付きＬモード設備コントローラ
３１　データ分岐部
３２　電子メール判断部
３４、４１、４３　インターフェース部
３５　電子メール送信部
４２　判断処理部
４４　電子メール作成部
４５　メモリ
４５−１　電子メールアドレステーブル
４５−２　メッセージテーブル
４６　連動制御部
４７　タイマー
４８　フォーマット変換部
４９　フォーマット逆変換部
５１　電子メール処理部
５２　表示部
６０　アドレス変換テーブル
６１　機器名称
６２　機器アドレス
６３　状態・コード変換テーブル
６４　機器状態
６５　制御コード
【図１】
2004096305.tif 000003
【図２】
2004096305.tif 000004
【図３】
2004096305.tif 000005
【図４】
2004096305.tif 000006
【図５】
2004096305.tif 000007
【図６】
2004096305.tif 000008
【図７】
2004096305.tif 000009
【図８】
2004096305.tif 000010